(57)【要約】【課題】オール電化あり契約時におけるサマータイム実施時の電気料金演算を正確に行い、電気料金の誤表示を防止できる空気調和機を提供する。【解決手段】リモコン時計手段４とリモコン送受信部５と電気料金単価設定手段６とオール電化設定手段７とサマータイム設定手段８と電気料金表示要求スイッチ９と電気料金データを所定時間表示する表示部１０とを備えたリモコン２と、本体送受信部１１と本体時計手段１２と制御部１３と空気調和機本体の消費電力量を計測する電力量計測手段１４とサマータイムの開始を判定するサマータイム開始判定手段１５とサマータイムの終了を判定するサマータイム終了判定手段１６と空気調和機本体で消費した電気料金を求める電気料金演算手段１７とを備えた空気調和機本体３を具備した空気調和機１において、前記電気料金演算手段１７が、サマータイムが開始された場合、時間帯に応じた電気料金単価を所定時間遅らせた単価とする。【選択図】図１
2013120042.tif 000002
【特許請求の範囲】
【請求項１】
リモコン日時データを設定計時するリモコン時計手段と、空気調和機本体とデータの送受信を行うリモコン送受信部と、時間帯に応じた単位電力量当たりの電気料金単価を設定する電気料金単価設定手段と、電気料金演算時のオール電化対応有無を設定するオール電化設定手段と、サマータイム対応有無を設定するサマータイム設定手段と、操作された時に前記空気調和機本体に電気料金データ表示の要求信号を前記リモコン送受信部から送信させる電気料金表示要求スイッチと、電気料金データを所定時間表示する表示部とを備えたリモコンと、
前記リモコンとデータの送受信を行う本体送受信部と、前記リモコン日時データを基に本体日時データを計時する本体時計手段と、制御部と、空気調和機本体の消費電力量を計測する電力量計測手段と、前記リモコンで設定した前記サマータイム対応有無の状態と前記本体日時データからサマータイムの開始を判定するサマータイム開始判定手段と、前記リモコンで設定した前記サマータイム対応有無の状態と前記本体日時データからサマータイムの終了を判定するサマータイム終了判定手段と、前記消費電力量と前記電気料金単価とを乗算して前記空気調和機本体で消費した電気料金を求める電気料金演算手段とを備えた空気調和機本体を具備した空気調和機において、
前記電気料金演算手段が、サマータイムが開始された場合、前記消費電力量に乗算する時間帯に応じた単位電力量当たりの前記電気料金単価を所定時間遅らせた単価とすることを特徴とする空気調和機。
【請求項２】
前記電気料金演算手段は、前記サマータイム終了判定手段がサマータイム終了を検知した場合、前記消費電力量に乗算する時間帯に応じた単位電力量当たりの前記電気料金単価を所定時間進ませた単価とすることを特徴とする請求項１に記載の空気調和機。
【請求項３】
前記表示部は、前記リモコンで設定したサマータイム対応有無を表示することを特徴とする請求項１または２に記載の空気調和機。
【発明の詳細な説明】
【技術分野】
【０００１】
本発明は、消費した電気料金をユーザーに知らせる機能を有する空気調和機に関するものである。
【背景技術】
【０００２】
従来より、消費した電気料金をユーザーに知らせる機能を備えた空気調和機がある。
【０００３】
図２は、従来の空気調和機のブロック図を示す。図２において、従来の空気調和機１０１は、単位電力量当たりの電気料金を入力する電気料金単価入力手段１０２と、空気調和機１０１の消費電力を計測する電力量計測手段１０３と、計測された消費電力と電気料金単価とを積算して消費した電気料金を求める演算手段１０４と、求めた電気料金を表示する表示手段１０５と内蔵時計１０６とを備えた空気調和機１０１であって、空気調和機１０１の内蔵時計１０６による運転時間帯に応じて、消費電力と昼時間帯電気料金単価または深夜時間帯電気料金単価とを積算し、電気料金を求めるものであった（例えば、特許文献１参照）。
【先行技術文献】
【特許文献】
【０００４】
【特許文献１】特開２００１−３５５８９１号公報
【発明の概要】
【発明が解決しようとする課題】
【０００５】
しかしながら、前記従来の構成では、サマータイムが実施された場合、空気調和機本体の日時データと電気代請求ベースの日時データにずれが生じてしまい、オール電化あり契約における時間帯別の電気料金の演算が、実際に消費した電気料金とは異なった電気料金を誤表示してしまうこととなっていた。
【０００６】
本発明は、前記従来の課題を解決するもので、オール電化あり契約時におけるサマータイム実施時の電気料金演算を正確に行ない、電気料金の誤表示を防止することができる空気調和機を提供することを目的とする。
【課題を解決するための手段】
【０００７】
前記従来の課題を解決するために、本発明の空気調和機は、リモコン日時データを設定計時するリモコン時計手段と、空気調和機本体とデータの送受信を行うリモコン送受信部と、時間帯に応じた単位電力量当たりの電気料金単価を設定する電気料金単価設定手段と、電気料金演算時のオール電化対応有無を設定するオール電化設定手段と、サマータイム対応有無を設定するサマータイム設定手段と、操作された時に前記空気調和機本体に電気料金データ表示の要求信号を前記リモコン送受信部から送信させる電気料金表示要求スイッチと、電気料金データを所定時間表示する表示部とを備えたリモコンと、前記リモコンとデータの送受信を行う本体送受信部と、前記リモコン日時データを基に本体日時データを計時する本体時計手段と、制御部と、空気調和機本体の消費電力量を計測する電力量計測手段と、前記リモコンで設定した前記サマータイム対応有無の状態と前記本体日時データからサマータイムの開始を判定するサマータイム開始判定手段と、前記リモコンで設定した前記サマータイム対応有無の状態と前記本体日時データからサマータイムの終了を判定するサマータイム終了判定手段と、前記消費電力量と前記電気料金単価とを乗算して前記空気調和機本体で消費した電気料金を求める電気料金演算手段とを備えた空気調和機本体を具備した空気調和機において、前記電気料金演算手段が、サマータイムが開始された
場合、前記消費電力量に乗算する時間帯に応じた単位電力量当たりの前記電気料金単価を所定時間遅らせた単価とするものである。
【０００８】
これによって、オール電化あり契約時におけるサマータイム実施時の電気料金の演算を正確に行ない、電気料金の誤表示を防止することができる。
【発明の効果】
【０００９】
本発明の空気調和機は、オール電化あり契約時におけるサマータイム実施時の電気料金の演算を正確に行ない、電気料金の誤表示を防止することができる。
【図面の簡単な説明】
【００１０】
【図１】本発明の実施の形態１〜３における空気調和機のブロック図
【図２】従来の空気調和機のブロック図
【発明を実施するための形態】
【００１１】
第１の発明は、リモコン日時データを設定計時するリモコン時計手段と、空気調和機本体とデータの送受信を行うリモコン送受信部と、時間帯に応じた単位電力量当たりの電気料金単価を設定する電気料金単価設定手段と、電気料金演算時のオール電化対応有無を設定するオール電化設定手段と、サマータイム対応有無を設定するサマータイム設定手段と、操作された時に前記空気調和機本体に電気料金データ表示の要求信号を前記リモコン送受信部から送信させる電気料金表示要求スイッチと、電気料金データを所定時間表示する表示部とを備えたリモコンと、前記リモコンとデータの送受信を行う本体送受信部と、前記リモコン日時データを基に本体日時データを計時する本体時計手段と、制御部と、空気調和機本体の消費電力量を計測する電力量計測手段と、前記リモコンで設定した前記サマータイム対応有無の状態と前記本体日時データからサマータイムの開始を判定するサマータイム開始判定手段と、前記リモコンで設定した前記サマータイム対応有無の状態と前記本体日時データからサマータイムの終了を判定するサマータイム終了判定手段と、前記消費電力量と前記電気料金単価とを乗算して前記空気調和機本体で消費した電気料金を求める電気料金演算手段とを備えた空気調和機本体を具備した空気調和機において、前記電気料金演算手段が、サマータイムが開始された場合、前記消費電力量に乗算する時間帯に応じた単位電力量当たりの前記電気料金単価を所定時間遅らせた単価とするもので、これにより、オール電化あり契約時におけるサマータイム実施時の電気料金の演算を正確に行ない、電気料金の誤表示を防止することができる。
【００１２】
第２の発明は、特に、第１の発明の電気料金演算手段が、サマータイムが終了された場合、消費電力量に乗算する時間帯に応じた単位電力量当たりの電気料金単価を所定時間進ませた単価とするもので、これにより、オール電化あり契約時におけるサマータイム終了以降の電気料金の演算を正確に行ない、電気料金の誤表示を防止することができる。
【００１３】
第３の発明は、特に、第１または第２の発明の表示部が、リモコンで設定したサマータイム対応有無を表示し、ユーザーに通知するもので、これにより、オール電化あり契約時におけるサマータイム設定の有無を容易に認識することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機１のブロック図を示すものである。図１において、空気調和機１は、リモコン日時データを設定計時するリモコン時計手段４と、空気調和機本体とデータの送受信を行うリモコン送受信部５と、時間帯に応じた単位
電力量当たりの電気料金単価を設定する電気料金単価設定手段６と、電気料金演算時のオール電化対応有無を設定するオール電化設定手段７と、サマータイム対応有無を設定するサマータイム設定手段８と、操作された時に空気調和機本体に電気料金データ表示の要求信号をリモコン送受信部５から送信させる電気料金表示要求スイッチ９と、電気料金データを所定時間表示する表示部１０とを備えたリモコン２と、リモコン２とデータの送受信を行う本体送受信部１１と、リモコン日時データを基に本体日時データを計時する本体時計手段１２と、制御部１３と、空気調和機本体３の消費電力量を計測する電力量計測手段１４と、リモコン２で設定したサマータイム対応有無の状態と本体日時データからサマータイムの開始を判定するサマータイム開始判定手段１５と、リモコン２で設定したサマータイム対応有無の状態と本体日時データからサマータイムの終了を判定するサマータイム終了判定手段１６と、消費電力量とリモコンで設定した時間帯に応じた電気料金単価とを乗算して空気調和機本体で消費した電気料金を求める電気料金演算手段１７とを備えた空気調和機本体３とから構成される。
【００１６】
以上のように構成された空気調和機において、以下その動作、作用を説明する。
【００１７】
リモコン時計手段４は、リモコン日時データ（一例として２０１１年２月１日８時３０分火曜日）を設定計時する。
【００１８】
リモコン送受信部５は、空気調和機本体３と各種データ（運転ＯＮ、運転ＯＦＦ、オール電化設定有無、電気料金単価、リモコン日時データ、電気料金データ等）の送受信を行う。
【００１９】
電気料金単価設定手段６は、時間帯に応じた単位電力量当たりの電気料金単価（例えば、朝夜時間帯２２．０円／ｋＷｈ、昼時間帯３３．０円／ｋＷｈ、深夜時間帯９．０円／ｋＷｈ）を設定する。
【００２０】
オール電化設定手段７は、電気料金演算時のオール電化対応有無を設定する。
【００２１】
サマータイム設定手段８は、電気料金演算時のサマータイム対応有無を設定する。
【００２２】
電気料金表示要求スイッチ９は、操作された時に空気調和機本体３に電気料金データ表示の要求信号をリモコン送受信部５から送信させる。
【００２３】
表示部１０は、電気料金表示要求スイッチ９の操作に基づきリモコン送受信部５にて受信した電気料金データを所定時間（一例として１０秒間）表示する。
【００２４】
本体送受信部１１は、リモコン２と各種データ（運転ＯＮ、運転ＯＦＦ、オール電化設定有無、電気料金単価、リモコン日時データ、電気料金データ等）の送受信を行う。
【００２５】
本体時計手段１２は、本体送受信部１１にて受信したリモコン日時データを基に本体日時データ（一例として２０１１年２月１日８時３０分火曜日）を計時する。
【００２６】
制御部１３は、本体送受信部１１にて受信した各種データからユーザーのスイッチ操作に基づく情報（命令）を抽出し、かつ、抽出した命令に基づいて冷房や暖房、除湿などの運転／停止を実行するものである。
【００２７】
電力量計測手段１４は、オール電化設定手段７で設定したオール電化対応有無状態と本体日時データに基づき、空気調和機本体３の運転時間帯に応じた消費電力量（例えば、朝夜時間帯５０ｋＷｈ、昼時間帯９０ｋＷｈ、深夜時間帯３０ｋＷｈ、全時間帯１７０ｋＷ
ｈ）を計測および積算する。
【００２８】
サマータイム開始判定手段１５は、オール電化設定手段７で設定したオール電化対応有無状態と本体時計手段１２で計時する本体日時データからサマータイムの開始を判定する。
【００２９】
サマータイム終了判定手段１６は、オール電化設定手段７で設定したオール電化対応有無状態と本体時計手段１２で計時する本体日時データからサマータイムの終了を判定する。
【００３０】
電気料金演算手段１７は、オール電化設定手段７で設定したオール電化対応有無状態に基づき、電力量計測手段１４にて計測された運転時間帯に応じた消費電力量と電気料金単価設定手段６にて設定した運転時間帯に応じた電気料金単価とを乗算して空気調和機本体３で消費した電気料金を求める。
【００３１】
以上のように構成された空気調和機１は、サマータイム開始判定手段１５がサマータイム開始（一例として７月１日７時）を検知した場合、電気料金演算手段１７が消費電力量に乗算する時間帯に応じた単位電力量当たりの電気料金単価を所定時間（一例として６０分）遅らせた単価（一例として深夜時間帯９．０円／ｋＷｈ）とするものである。
【００３２】
これによって、オール電化あり契約時におけるサマータイム実施時の電気料金の演算を正確に行ない、電気料金の誤表示を防止することができる。
【００３３】
なお、単位電力量当たりの電気料金単価は、空気調和機本体３またはリモコン２に予め入力され格納されているものであっても良い。
【００３４】
また、電気料金演算手段１７は、リモコン２内に構成しても良い。
【００３５】
（実施の形態２）
図１は、本発明の実施の形態２における空気調和機のブロック図を示すものである。図１において、実施の形態１で説明した部分については同じ符号を用い説明を省略する。
【００３６】
電気料金演算手段１７は、サマータイム終了判定手段１６がサマータイム終了を検知した場合、消費電力量に乗算する時間帯に応じた単位電力量当たりの電気料金単価を所定時間進ませた単価とするものである。
【００３７】
以上のように構成された空気調和機１は、サマータイム終了判定手段１６がサマータイム終了（一例として１０月１日７時）を検知した場合、電気料金演算手段１７が消費電力量に乗算する時間帯に応じた単位電力量当たりの電気料金単価を所定時間（一例として６０分）進ませた単価（一例として朝夜時間帯２２．０円／ｋＷｈ）とするものである。
【００３８】
これによって、オール電化あり契約時におけるサマータイム終了以降の電気料金の誤表示を防止することができる。
【００３９】
（実施の形態３）
図１は、本発明の実施の形態３における空気調和機のブロック図を示すものである。図１において、実施の形態１で説明した部分については同じ符号を用い説明を省略する。
【００４０】
表示部１０は、リモコンで設定したサマータイム対応有無を表示するものである。
【００４１】
以上のように構成された空気調和機１は、表示部１０が、サマータイム設定状態をドット部等に表示（一例としてサマータイム設定中）するものである。
【００４２】
これによって、オール電化あり契約時におけるサマータイム設定の有無を容易に認識することができる。
【産業上の利用可能性】
【００４３】
以上のように、本発明の空気調和機は、オール電化あり契約時におけるサマータイム設定時の電気料金の演算を正確に行ない、電気料金の誤表示を防止することが可能となるので、給湯器等の設備型システム機器の電気料金表示にも適用できる。
【符号の説明】
【００４４】
１  空気調和機
２  リモコン
３  空気調和機本体
４  リモコン時計手段
５  リモコン送受信部
６  電気料金単価設定手段
７  オール電化設定手段
８  サマータイム設定手段
９  電気料金表示要求スイッチ
１０  表示部
１１  本体送受信部
１２  本体時計手段
１３  制御部
１４  電力量計測手段
１５  サマータイム開始判定手段
１６  サマータイム終了判定手段
１７  電気料金演算手段
【図１】
2013120042.tif 000003
【図２】
2013120042.tif 000004